(57)【要約】      （修正有）【課題】内容物を詰替える場合に、注ぎ口の閉塞を防止し、かつ内容物が少なくなっても注ぎ口を安定して確保でき、詰替え性を向上させた詰替え用袋を提供する。【解決手段】２枚のフィルムの両側シール部とその間に形成した内容物注出流路９とを有するノズル部１０を切断予定線１１で切断することにより注出口１２を形成することを可能にした詰替え用袋であって、前記両側シール部のうちの下側のシール部を、袋本体のサイドシール部６の上部から内側に向かう傾斜部１３に連続し凹型屈曲部１４を介して上方に延びるサイド側流路シール部６Ａとして形成し、かつ、前記凹型屈曲部１４近傍から袋本体側に向かい、前記サイド側流路シール部６Ａと内容物注出流路９との境界線の延長線１７方向又はややサイドシール部側方向に延びた、袋の外側に向けて凹を成す凹状線１８を設ける。【選択図】図２
2008013195.tif 000002
【特許請求の範囲】
【請求項１】
２枚のフィルムの両側シール部とその間に形成した内容物注出流路とを有するノズル部を切断予定線で切断することにより注出口を形成することを可能にした詰替え用袋であって、前記両側シール部のうちの下側のシール部を、袋本体のサイドシール部の上部から内側に向かう傾斜部に連続し凹型屈曲部を介して上方に延びるサイド側流路シール部として形成し、かつ、前記凹型屈曲部近傍から袋本体側に向かい、前記サイド側流路シール部と内容物注出流路との境界線の延長線方向又はややサイドシール部側方向に延びた、袋の外側に向けて凹を成す凹状線を設けてなる詰替え用袋。
【請求項２】
前記注出口から袋本体側に向かい内容物注出流路を経て袋本体側に延びる山折り誘導線を少なくとも１本設けてなる請求項１記載の詰替え用袋。
【請求項３】
前記凹状線と前記山折り誘導線とを、２枚のフィルムの表側フィルムと裏側フィルムとに凹状線同士及び山折り誘導線同士を対にして設けてなる請求項１又は２に記載の詰替え用袋。
【請求項４】
前記切断予定線で切断して注出口を形成した内容物注出流路において、両側シール部を両側から挟むように圧力をかけることで、前記凹状線と山折り誘導線によって内容物注出流路を断面が略多角形状に開口させることを可能にした請求項２又は３に記載の詰替え用袋。
【発明の詳細な説明】
【技術分野】
【０００１】
本発明は、可撓性の積層樹脂フィルムを貼り合わせて形成した袋本体に内容物を密封して収納するための詰替え用袋に関する。
【背景技術】
【０００２】
可撓性の積層樹脂フィルムを貼り合わせて形成した袋本体の上部端縁部の一部に内容物注出流路を有するノズル部を設けた詰替え用袋は、液体、粒体、粉粒体などの流動性を有する内容物を密封して収納するための袋として採用され、内容物を他の容器に詰替えて使用され、廃棄物減量の目的に合致するものとして多く用いられる傾向にある。
【０００３】
この詰替え用袋においては、２枚のフィルムの両側シール部とその間に形成した内容物注出流路とを有するノズル部を切断予定線で切断して形成した注出口より内容物を注ぎ出す形式が採られている。そして、詰替え性（注出性）を向上するために、注ぎ口形成部を通る線上に袋の外側に向けて凸をなす凸状線を設け、その両側に凹状線を設けたもの（例えば、特許文献１参考。）や、注出通路の両側の下端部或いはその近傍から包装袋内方に向かう第１谷折り線からなる閉塞防止機構を設けたもの（例えば、特許文献２参考。）が提案されている。
【０００４】
しかしながら、特許文献１に記載の袋では、注ぎ口が十分に開口しない虞があり、特許文献２に記載の袋では、注出通路は凸状部で囲まれた立体形状以上に広い流路を形成しにくい。従って、これらの袋の注ぎ口を容器の口部に差し込んで詰替える場合には、注ぎ口が十分に開口しないで、閉塞しやすくなる恐れがある。また、注ぎ口の開口性は自重によるところが大きく、内容物が少なくなってくると自然に開口が小さくなり、詰替えにくくなる問題がある。
【０００５】
【特許文献１】特開２００１−１９９４５６号公報
【特許文献２】特開２００３−１３７３１９号公報
【発明の開示】
【発明が解決しようとする課題】
【０００６】
本発明は、上記背景技術の問題点に鑑み、切断予定線で切断することにより形成した注出口と両側シール部とからなる切断部を容器の口部に差し込んで詰替える場合に、注出口の閉塞を防止し、かつ内容物が少なくなっても注出口の開口を安定して確保でき、詰替え性を向上させた詰替え用袋の提供を目的とする。
【課題を解決するための手段】
【０００７】
本発明者らは、注出口の開口を誘導し得る凹状線を設けた詰替え用袋とすることにより、その課題を解決しうることを着想した。
即ち本発明は、２枚のフィルムの両側シール部とその間に形成した内容物注出流路とを有するノズル部を切断予定線で切断することにより注出口を形成することを可能にした詰替え用袋であって、前記両側シール部のうちの下側のシール部を、袋本体のサイドシール部の上部から内側に向かう傾斜部に連続し凹型屈曲部を介して上方に延びるサイド側流路シール部として形成し、かつ、前記凹型屈曲部近傍から袋本体側に向かい、前記サイド側流路シール部と内容物注出流路との境界線の延長線方向又はややサイドシール部側方向に延びた、袋の外側に向けて凹を成す凹状線を設けてなる詰替え用袋である。
【発明の効果】
【０００８】
本発明によれば、内容物注出流路を形成する両側シール部のうちの下側のサイド側流路シール部の凹型屈曲部近傍から袋本体側に向かう凹状線を設けているため、内容物を容器に詰替える際に、注出口及び内容物注出流路の閉塞による詰替え性の低下や、内容物が少なくなってきたときの開口性の低下を生じることなく、注出口及び内容物注出流路の安定した開口を確保することを可能とし、これに伴い、詰替え性の向上を図ることができる。
【発明を実施するための最良の形態】
【０００９】
以下、本発明の詰替え用袋を、図１〜３を参照して説明する。
図１は、本発明の実施例を示す正面図であり、図２は図１の部分拡大図である。
図１に示す如く、詰替え用袋１は、可撓性の積層樹脂からなる２枚の胴部フィルム２、３と、可撓性の積層樹脂からなる１枚の底部フィルム４とからなり、胴部フィルム２、３の下縁部に底部フィルム４の周縁部を熱融着等により接合してボトムシール部５を形成するとともに、胴部フィルム２、３の両側縁部と上縁部を互いに熱融着等により接合してサイドシール部６とトップシール部７を形成し、それらのシール部によって囲まれる袋本体８を封止するものである。なお、詰替え用袋１にあっては、フィルムの上述の接合過程、例えば胴部フィルム２、３のトップシール部７の接合前段階で、袋本体８に内容物を充填する。
【００１０】
本発明の詰替え用袋１においては、図１に示すように、上縁角部に、一方のサイドシール部６上部のサイド側流路シール部６Ａとトップシール部７の端部領域のトップ側流路シール部７Ａ及びそれらの間に形成した内容物注出通路９からなるノズル部１０を袋本体から突出して形成している。
詰替え用袋の内容物を容器に詰替える時には、ノズル部１０の先端部を切断予定線１１に沿って切断し、注出口（サイド側流路シール部６Ａ及びトップ側流路シール部７Ａを除く中央部分）１２を形成する。切断予定線１１は、サイド側流路シール部６Ａ及び／又はトップ側流路シール部７Ａに刻設された切り込みやノッチ又はレーザによるハーフカット等、及び／又は切断予定線１１に沿って袋表面に形成されたレーザによるハーフカット等によって形成する。
【００１１】
本発明の詰替え用袋１においては、図２に拡大して示すように、サイド側流路シール部６Ａを、袋本体のサイドシール部６の上部から内側に向かう傾斜部１３に連続し凹型屈曲部１４を介して上方に延びる形状に形成する。
そして、凹型屈曲部１４の近傍から袋本体側に向かい、サイド側流路シール部６Ａと内容物注出流路９との境界線の延長線１７方向又はややサイドシール部側方向に延びた、袋の外側に向けて凹を成す凹状線１８を設ける。
凹状線１８によって、谷折りを誘導して内容物注出流路９を概ね円錐形状に開かせることができるが、更に、注出口１２から袋本体側に向かい、内容物注出流路９を経て袋本体側方向に延びた、山折り誘導線１６を設けるのが好ましい。
山折り誘導線１６を設けることにより、内容物注出流路９を断面が略多角形状の角錐形状に開かせることができ、形状が安定した開口断面積の大きな開口を確保という効果を更に確実に得ることができる。
山折り誘導線１６は、袋の外側に山折りとなる誘導線であり、袋の外側に向けて凸を成す凸状線や袋の外表面にレーザー等に形成したハーフカット線等として形成することができる。
山折り誘導線１６は、２枚の胴部フィルム２、３の一方のフィルムに少なくとも１本設けるが、図２の如く複数本設けるのが好ましい。山折り誘導線１６を複数本設ける場合は、注出口１２から袋本体側に向かって、放射線状に設けるのが好ましい。
山折り誘導線１６の長さは、詰替え用袋１のサイズ等に応じて任意に設定できるが、内容物注出流路９を越えて袋本体に達しているのが好ましく、又、複数本形成する場合は、最も上部に形成する山折り誘導線を他の山折り誘導線より長くすることが、好ましい。最も上部に形成する山折り誘導線は、詰替えを行う際の内容液の自重により注出口１２又は内容物注出流路９の内側から外側に向かう力がかかりやすいので、注出口１２の面積又は内容物注出流路９の断面積を大きくする効果が大きい。最も上部に形成する山折り誘導線によって、袋本体側から注出口１２に向かって細くなる錐体の内容物抽出流路９を形成しやすく、他の山折り誘導線によって注出口１２の開口形状、内容物注出流路９の断面形状に影響を与えるため、長さに差をつけることで、開口を安定化させることができる。
【００１２】
凹状線１８の長さは、詰替え用袋１のサイズ等に応じて任意に設定できるが、山折り誘導線１６を設ける場合には、山折り誘導線１６と同じ長さにすることが好ましく、山折り誘導線１６を一方のフィルムに複数本形成する時には、最も長い山折り誘導線１６の長さに合わせることが好ましい。凹状線１８の長さと山折り誘導線１６の長さと概ね同一とすることで、詰替えを行う際の内容液の自重により、袋本体側から注出口１２に向かって断面積が大きな錐体の内容物注出流路９を安定して形成し、注出口１２が開口しやすくなる。
凹状線１８と山折り誘導線１６とは、内容物注出流路９を形成する２枚の胴部フィルムの一方のフィルムと他方のフィルムに、凹状線同士１８及び山折り誘導線１６同士を対にして設けるのが好ましい。
なお、トップ側流路シール部７Ａは、図２の示すように、袋本体のトップシール部７より内側に窪む凹型屈曲部１５を介して斜め上方に延びる形状に形成するのが好ましい。
【００１３】
図３は、切断予定線１１に沿って切断して注出口１２を形成した、本発明の詰替え用袋から内容物を容器に詰替える方法とその際の注出口１２及び内容物注出流路９の開き具合を示す模式図である。
先ず、Ａ−１の如くに、容器の口部（スパウト）１９に凹型屈曲部１４を引っ掛け、凹型屈曲部１４を中心に詰替え用袋１を傾け、内容物を容器内に流し込むが、この際、注出口１２及び内容物注出流路９は、内容物の重力により、Ａ−２に示す断面形状の如くに開く。
次いで、Ｂ−１の如くに、詰替え用袋中の内容物の減り具合に応じて詰替え用袋１を傾けていくと、注出口１２の上に存在するトップ側流路シール部７Ａの上端２０が容器の口部１９の内壁２１に押し当てられることにより、両側シール部（サイド側流路シール部６Ａとトップ側流路シール部７Ａ）を両側から挟むように圧力がかかり、注出口１２及び内容物注出流路９は、Ｂ−２に示す断面形状の如く、更に大きく開く。
このように、内容物が減少するに従い、注出口１２及び内容物注出流路９が更に大きく開くので、閉塞も無く、容易に内容物の詰替えをすることができる。
【００１４】
図１に示した詰替え用袋は、スタンディングパウチ形式の袋であるが、本発明の詰替え用袋の形状としては、特に制約はなく、三方シール形式、四方シール形式等のパウチが適当であるが、スタンディングパウチ形式の袋は、自立可能であるので、取り扱い易く、好ましい形式である。
【００１５】
詰替え用袋を形成するフィルムとしては、可撓性の積層樹脂フィルムが使用されるが、その素材としては、この種の目的に通常使用される素材のいずれもが使用可能であり、延伸ナイロンフィルム（ONy）、延伸ポリプロピレン（OPP）、無延伸ポリプロピレン（CPP）、直線状低密度ポリエチレン（LLDPE）、高密度ポリエチレン（HDPE）、低密度ポリエチレン（LDPE）、ポリエチレンテレフタレート (PET)、金属蒸着ポリエチレンテレフタレート (VM-PET)等を例示することができる。また、バリヤー性を持たせるために、アルミニウム等の金属フィルムを、上記の樹脂フィルムと共に使用してもよい。
【００１６】
積層樹脂フィルムの層構成も、この種の目的に通常使用される構成のいずれもが採用可能であるが、好ましい層構成としては、外層側より、ONy、PET等からなる基材層と、CPP、LLDPE、 LDPE等からなるシーラント層とを積層した構成及び、それらの基材層とシーラント層との間に、更にOPP、HDPE、VM-PET、金属フィルム等を積層した構成を例示することができる。
具体的には、次の組合せを例示することができる。
(1) 外層側よりONy／OPP／LLDPE
(2) 外層側よりONy／VM-PET／LLDPE
(3) 外層側よりONy／OPP／AL／LLDPE
(4) 外層側よりONｙ／LLDPE／HDPE／LLDPE
(5) 外層側よりONy／LLDPE
(6) 外層側よりONy／VM-PET／LLDPE
【００１７】
ノズル部１０の位置は、袋本体８の上縁角部（図１〜６の例）でも、上縁中央部であってもよい。また、ノズル部の形状も種々の形状を採用でき、その向きも、設ける位置により、上方向、斜め上方向、横方向のいずれかを選択し得る。
【産業上の利用可能性】
【００１８】
本発明の詰替え用袋は、洗浄剤、界面活性剤、化粧品、食品等の、液体、粒体、粉粒体を収納するための袋として利用し、内容物の詰替えを行うために用いる。
【図面の簡単な説明】
【００１９】
【図１】本発明の詰替え用袋の実施例を示す正面図である。
【図２】図１の部分拡大図である。
【図３】本発明の詰替え用袋から内容物を容器に詰替える方法とその際の袋の開き具合を示す模式図である。
【符号の説明】
【００２０】
１：詰替え用袋
２、３：胴部フィルム２、３
４：底部フィルム
５：ボトムシール部
６：サイドシール部
６Ａ：サイド側流路シール部
７：トップシール部
７Ａ：トップ側流路シール部
８：袋本体
９：内容物注出通路
１０：ノズル部
１１：切断予定線
１２：注出口
１３：傾斜部
１４、１５：凹型屈曲部
１６：山折り誘導線
１７：境界の延長線
１８：凹状線
１９：容器の口部
２０：トップ側流路シール部の上端
２１：容器の口部の内壁
【図１】
2008013195.tif 000003
【図２】
2008013195.tif 000004
【図３】
2008013195.tif 000005